(57)【要約】【課題】予備電源等の電源手段の電気容量の残量が少なくなり、点検や交換等が必要となった場合に、この事実を早期に管理者等に通知できるようにする。【解決手段】予備電源などの電源手段の電気容量の残量が少なくなったこと（なくなったことを含む）を表示する表示手段を、非常用シャッター閉鎖ボタンを収納している筐体内であって、この筐体の一部に設けられた押し破り可能な透明パネルを介して視認可能な位置に設け、この表示手段によって点検や交換等が必要となったことを早期に管理者等に通知する。このように既存の筐体の透明パネルを利用することによって、表示手段を設けるために特別の加工などを施すこともなく、表示手段を視認可能に設けることができ、筐体自身の意匠性も向上させることができる。【選択図】図５
2007138396.tif 000002
【特許請求の範囲】
【請求項１】
開口部の周縁部に設けられた開閉体手段と、
人為的な操作信号及び前記操作信号とは異なる信号の入力に応じて前記開閉体手段を閉動作させる自動閉鎖手段と、
前記開閉体手段の動作経路上で障害物を感知した場合に閉動作中の前記開閉体手段に回避動作を行わせる障害物感知手段と、
前記障害物感知手段に電力を供給する電源手段と、
筐体内に設けられた操作子手段であって、前記筐体の一部に設けられた押し破り可能な透明パネルを介して人為的に操作されることによって前記操作信号を出力する操作子手段と、
前記筐体内に設けられ、前記電源手段の電気容量の残量を前記透明パネルを介して視認可能に表示する表示手段と
を備えたことを特徴とする開閉体装置。
【請求項２】
請求項１に記載された開閉体装置において、
前記表示手段は、前記操作子手段の近傍であって、前記透明パネルを介して視認可能な位置に設けられることを特徴とする開閉体装置。
【請求項３】
請求項１に記載された開閉体装置において、
前記操作子手段自身が前記表示手段として前記電源手段の電気容量の残量を前記透明パネルを介して視認可能に表示することを特徴とする開閉体装置。
【請求項４】
請求項１、２又は３に記載された開閉体装置において、
前記電源手段を少なくとも２つ備え、２つの電源手段がそれぞれ別系統で前記自動閉鎖手段及び障害物感知手段に電力を供給するように構成したことを特徴とする開閉体装置。
【発明の詳細な説明】
【技術分野】
【０００１】
本発明は、シート状、スラット状又はパネル状のカーテンなどの開閉体を用いて建物内部の通路やホール空間などを自動的に閉鎖し、その動作時の障害物感知制御を蓄電池等の電源手段で行うように構成された開閉体装置に関する。
【背景技術】
【０００２】
一般に、床面積の大きいビル等の構築・構造物内部の通路やホール空間などには、火災発生時の延焼や煙の拡散を防止するために火災発生と同時に自動的に閉じるシート状又はシャッター状の防火カーテンなどの遮蔽部材を用いて、柱、壁、床などと共に３次元的に囲まれた空間、すなわち防火区画や防煙機能を形成するように動作する防火シャッター装置が備え付けられている。このようなシャッター装置には、火災以外の災害発生時や閉店時などに防火・防煙・防水・防風・防犯などのために開口部を仕切るために繰り出されるものもある。
【０００３】
図１は、このような防火区画を形成する従来の防火シャッター装置の概略構成を示す図である。防火シャッター装置１０等の防災用開閉体装置は、火災時に発生する煙や熱を感知する防災盤から防災信号ＢＳ（例えば直流２４Ｖ信号）が出力されることを受けて、開閉機１に連結されたブレーキ２を解放させる自動閉鎖装置４を有している。なお、信号の電圧値は２４Ｖでない場合もあり、適宜その電圧値は決められている。自動閉鎖装置４は、中継器３を介して供給される商用電源９又は中継器３に内蔵される予備電源（蓄電池）からの電力によって動作する。
【０００４】
中継器３に内蔵される予備電源によって、火災発生時に防火シャッター装置１０に対する商用電源の供給がなくとも、入力される防災信号ＢＳに基づきブレーキ２を解放でき、巻取り状態にある防火構造のシャッターカーテン５を自重で下降させ自動的に開口部を閉鎖することができるようになっている。また、非常時には、手動閉鎖装置８（非常用シャッター閉鎖ボタン）を操作することによって、シャッターカーテン５を自重で降下させることもできる。
【０００５】
図２は、図１の中継器３の概略構成を示す図である。図２に示すように、中継器３は、電源回路３１、充電装置３２、予備電源（蓄電池）３３、電源切り替え装置３４及び制御回路３５から構成される。電源回路３１は、商用電源９を直流２４Ｖ信号に変換し、電源切り替え装置３４を介して制御回路３５に直流電圧を供給すると共に充電装置３２に電力を供給する。充電装置３２は、電源回路３１からの電力を用いて予備電源（蓄電池）３３を充電する。予備電源（蓄電池）３３は、リチウムイオン充電池やその他のバッテリー（充電式以外にも乾電池のように使い切るタイプの電源も含む）などから構成され、電源切り替え装置３４を介して直流電圧を制御回路３５に供給する。電源切り替え装置３４は、電源回路３１又は予備電源３３のいずれか一方の電源を選択的に切り替えて制御回路３５に接続するものである。通常は商用電源９からの電力が供給されているので、電源回路３１からの直流電圧を制御回路３５に供給しているが、火災発生時などの非常時に商用電源９からの電力供給が停止した場合などには、予備電源３３からの直流電圧を制御回路３５に供給するように動作する。復帰スイッチ３６は、制御回路３５の動作をリセットするためのスイッチである。なお、図１及び図２では、中継器３以外への商用電源の接続関係については図示を省略してある。
【０００６】
このように、中継器３に内蔵される予備電源３３によって、火災発生時に防火シャッター装置１０に対する商用電源の供給がなくとも、感知器１１を接続した中継器３や防災盤や感知器１１から制御回路３５に入力される防災信号ＢＳに基づき作動信号（直流２４Ｖ信号）を出力し、自動閉鎖装置４を作動させてブレーキ２を解放し、ブレーキ２を解放することによって、巻取り状態にある防火構造のシャッターカーテン５を自重で下降させ自動的に開口部を閉鎖することができるようになっている。また、非常時には、電気式手動閉鎖装置８（非常用シャッター閉鎖ボタン）を操作することによって、同じく制御回路３５から作動信号（直流２４Ｖ信号）を出力し、自動閉鎖装置４を作動させてブレーキ２を解放し、シャッターカーテン５を自重で降下させることができる。
【０００７】
この防火シャッター装置１０には、開閉中に障害物への接触を検出する障害物感知装置が設けられている。障害物物感知装置は、図示のようにシャッターカーテン５の下端の座板上に設けられた送信機６と、シャッターカーテン５の収納ボックス内に設けられた受信機７とによって構成される。送信機６は、座板に対する障害物の接触で座板スイッチ（マイクロスイッチ）が作動した場合に、その感知信号を受信機７に有線又は無線方式で送信する。このとき、自動閉鎖装置４はこの感知信号の入力に応じてシャッターカーテン５の閉動作を停止制御するようになっている。従って、火災発生時にシャッターカーテン５が自重下降している際に座板が障害物に接触した場合に、シャッターカーテン５の自重下降が停止するようになっている。このような防火シャッター装置に関するものとしては、例えば、特許文献１に記載されたものがある。
【特許文献１】特開２００２−８１２８１号公報
【発明の開示】
【発明が解決しようとする課題】
【０００８】
従来の防火シャッター装置において、手動閉鎖装置を設ける主旨は、万一防災信号経路に不具合があった場合でも、手動操作によって防火シャッターを操作できるようにしたことにある。このシャッターカーテン５の自重下降中に閉鎖側先端部に設けられた障害物感知装置を正常に動作させるためには、電力の供給が必須である。そこで、防火シャッター装置は、中継器３内に予備電源３３を設け、商用電源の供給がなくとも、この予備電源からの電力供給によって動作可能な構成となっている。通常、予備電源はリチウムイオン充電池やその他のバッテリー（充電式以外にも乾電池のように使い切るタイプの電源も含む）などから構成されており、長期間の使用による寿命を有するので、定期的な交換等によってその保守点検等の実施が必須であり、点検忘れ等により電池容量が少ない状態や容量不足のまま放置されると、自動下降中に障害物感知装置の正常な動作を行うことが困難な状況が発生するおそれがある。
【０００９】
本発明の目的は、予備電源などの電源手段の電気容量の残量が少なくなり、点検や交換等が必要となった場合に、この事実を早期に管理者等に通知することのできる開閉体装置を提供することにある。
【課題を解決するための手段】
【００１０】
本発明の開閉体装置の第１の特徴は、開口部の周縁部に設けられた開閉体手段と、人為的な操作信号及び前記操作信号とは異なる信号の入力に応じて前記開閉体手段を閉動作させる自動閉鎖手段と、前記開閉体手段の動作経路上で障害物を感知した場合に閉動作中の前記開閉体手段に回避動作を行わせる障害物感知手段と、前記障害物感知手段に電力を供給する電源手段と、筐体内に設けられた操作子手段であって、前記筐体の一部に設けられた押し破り可能な透明パネルを介して人為的に操作されることによって前記操作信号を出力する操作子手段と、前記筐体内に設けられ、前記電源手段の電気容量の残量を前記透明パネルを介して視認可能に表示する表示手段とを備えたことにある。
開閉体手段は、ビル、住宅、工場、倉庫等の建物などの構造物における、出入口や窓部、あるいは内部の通路や空間などの開口部などを開閉移動するものや閉移動だけするシャッターカーテンなどの開閉部材や閉部材で構成され、災害発生時や閉店時などに防火・防煙・防水・防風・防犯などのために開口部を仕切るために繰り出される。開閉体手段が、例えば防火区画形成用の防火・防煙シャッターカーテンの場合には、建物などの開口部の周縁部の一つである上部に収納され、まぐさなどを通過して防火シャッターカーテンが下降し、開口部を閉鎖する。これ以外にも開閉体手段が開口部の側部に収納され横引き方式で開閉移動したり、開口部の下部に収納され上昇方式で開閉移動したりすることもある。また、開閉体手段には、閉鎖によって開口部を全閉できるものも全閉できないものも含む。
人為的な操作信号は、例えば、筐体内に設けられた非常用シャッター閉鎖ボタンなどのような操作子手段が人為的に操作されることによって発生するものである。通常、筐体の一部には、押し破り可能な透明パネルが設けられているので、この透明パネルを押し破ることによって操作子手段は人為的に操作され、操作信号を出力する。また、操作信号とは異なる信号としては、火災時などに発生される防災信号又は非常閉鎖信号などがある。自動閉鎖手段は、これらの信号を入力することによって、防火シャッターカーテンを下降させ、開口部を閉鎖する。
このような防火シャッターカーテンなどには一例として開閉中に障害物などへの接触を検出する障害物感知装置がその閉鎖側先端部の座板上に設けられており、障害物の感知に応じてシャッターカーテンにその回避動作を行わせるようになっている。ここでの回避動作には、シャッターカーテンの降下を停止させたり、停止までには到らずに降下速度を抑制したり、感知した状態からシャッターカーテンを逆に上昇させたりする場合を含む。また、障害物感知装置には、閉鎖側先端部の座板などに設けられる接触式のものやエリアセンサなどのように非接触式にて感知するものを含む。従って、自動閉鎖時にシャッターカーテンが自重下降している際に座板が障害物に接触した場合等に、シャッターカーテンは回避動作を行う。
このようにシャッターカーテンの自重下降中に閉鎖側先端部等に設けられた障害物感知装置を正常に動作させるためには、商用電源の供給が困難な状況でも、安定して電力を供給することのできる予備電源などの電源手段を設けることが行われている。通常、予備電源などの電源手段は、乾電池などのように使い切るタイプの電源や充電式のリチウムイオン充電池やその他のバッテリー（充電式以外にも乾電池のように使い切るタイプの電源も含む）などから構成されており、長期間の使用による寿命を有する。従って、予備電源などの電源手段を設置した場合、その定期的な交換等を行ったりする保守点検等を実施する必要がある。
この発明では、予備電源などの電源手段の電気容量の残量が少なくなったこと（なくなったことを含む）を表示する表示手段を、非常用シャッター閉鎖ボタンを収納している筐体内であって、この筐体の一部に設けられた押し破り可能な透明パネルを介して視認可能な位置に設け、この表示手段によって点検や交換等が必要となったことを早期に管理者等に通知するようにした。このように既存の筐体の透明パネルを利用することによって、表示手段を設けるために特別の加工などを施すこともなく、表示手段を視認可能に設けることができ、筐体自身の意匠性も向上させることができる。
【００１１】
本発明の開閉体装置の第２の特徴は、前記第１の特徴に記載された開閉体装置において、前記表示手段が、前記操作子手段の近傍であって、前記透明パネルを介して視認可能な位置に設けられることにある。
これは表示手段を筐体内の非常用シャッター閉鎖ボタンである操作子手段の近傍に設けるようにしたものである。操作子手段の近傍に設けることによって、透明パネルからの視認性が向上する。
【００１２】
本発明の開閉体装置の第３の特徴は、前記第１の特徴に記載された開閉体装置において、前記操作子手段自身が前記表示手段として前記電源手段の電気容量の残量を前記透明パネルを介して視認可能に表示することにある。
これは、表示手段を非常用シャッター閉鎖ボタンである操作子手段と一体に構成することによって、透明パネルからの視認性をさらに向上させるようにしたものである。
【００１３】
本発明の開閉体装置の第４の特徴は、前記第１、第２又は第３の特徴に記載された開閉体装置において、前記電源手段を少なくとも２つ備え、２つの電源手段がそれぞれ別系統で前記自動閉鎖手段及び障害物感知手段に電力を供給するように構成したことにある。
これは、電源手段を２つ設け、それぞれ別系統で自動閉鎖手段及び障害物感知手段に電力を供給するようにしたものである。このように電源手段を少なくとも２つ設けることによって、一方の電源手段が寿命で使えなくなったり、何らかの不具合で使えなくなった場合でも、他方の電源手段から電力を供給することができるので、電源手段による動作の安全性を高めることができる。また、２つの電源手段をその寿命の約半分で交互に交換することによって、電源手段の寿命切れ状態の発生を少なくすることができる。
なお、本発明の開閉体装置の各特徴に記載の「視認可能に表示する」という文言には、直接的または間接的に視認できれば良く、反射・透過・半透過などで表示内容を視覚的に認識できれば良いことを含むものである。また、その表示の態様としては、どのようなものでもよく、例えば、発光の有無（または明るさ）の相違による表示、光の点滅態様の相違による表示、発色の相違による表示、向きの相違による表示、形状（突出片の突出の大小など）の相違による表示、表示文字（記号）や表示態様などの相違による表示、メーター表示による表示や動きの相違による表示など種々のものがあげられるが、単純な発光の有無による表示とすることによって複雑な構造を必要としない上に視認性もよいという利点がある。
【発明の効果】
【００１４】
本発明の防火シャッター装置によれば、予備電源などの電源手段の電気容量の残量が少なくなり、点検や交換等が必要となった場合に、この事実を早期に管理者等に通知することができるという効果がある。
【発明を実施するための最良の形態】
【００１５】
以下、添付図面に従って本発明に係る開閉体装置の一例として防火シャッター装置について説明する。図３は、本発明に係る開閉体装置である防火シャッター装置の概略構成を示す図である。この防火シャッター装置は、通常はシャッター開閉機５０（駆動源、ブレーキなどより構成される）が基本的にシャッターカーテン５を巻き取った開放状態にある。この開放状態はブレーキで機械的に保持されることによって維持されている。そして、自動開閉装置４は、火災発生時には、中継機３を介して入力される防災信号ＢＳや手動閉鎖装置８（非常用シャッター閉鎖ボタン）の操作信号に応じて、ブレーキによる開放状態の保持を解除し、シャッターカーテン５を自重で自然降下させることによって、開口部を閉鎖し、所定の防火区画を形成するようになっている。この実施の形態では、中継器３０内に、防災信号ＢＳの入力に応じて動作する制御回路３５ａと、手動閉鎖装置８（非常用シャッター閉鎖ボタン）の操作信号の入力に応じて電力（例えば直流２４Ｖ）を出力する制御回路３５ｂがそれぞれ独立して設けてある。なお、信号の電圧値は２４Ｖでない場合もあり、適宜その電圧値は決められている。手動閉鎖装置８は、樹脂製の透明パネル（押し破りキャップ）に覆われ、非常時にこの樹脂製の透明パネルを押し込むことによって、操作可能に構成された赤色の非常用シャッター閉鎖ボタンを備えている。この手動閉鎖装置８の構成については後述する。
【００１６】
防火シャッター装置１０のような防災用開閉体装置は、火災時に発生する煙や熱を感知する感知器１１からの信号に応じて防災用連動制御器１２から防災信号ＢＳ（例えば直流２４Ｖ信号）が出力されることを受けて、シャッター開閉機５０に連結されたブレーキ（図示せず）を解放させる自動閉鎖装置４を有している。自動閉鎖装置４は、中継器３０の制御回路３５ａ，３５ｂから別々の系統を経て供給される商用電源９又は予備電源（バッテリ電源）などの電源手段からの電力によってそれぞれ別々に動作する。なお、電源手段としては、中継器３０に内蔵される予備電源３３の他に防災用の連動制御器１２に内蔵される予備電源が使用される場合がある。なお、通常時にシャッターカーテン５を開閉させる必要がない場合には、開閉機５０を駆動源とブレーキとで構成しなくても、ブレーキのみで構成するようにしても良い。
【００１７】
火災発生時に防火シャッター装置１０に対する商用電源の供給が困難な場合でも、中継器３０に内蔵される予備電源又は防災用の連動制御器１２に内蔵される予備電源によって、入力される防災信号ＢＳに基づきシャッター開閉機５０のブレーキ２を解放でき、巻取り状態にある防火構造のシャッターカーテン５を自重で下降させ自動的に開口部を閉鎖することができる。また、非常時には、手動閉鎖装置８（非常用シャッター閉鎖ボタン）を操作することによって、制御回路３５ｂが作動してシャッターカーテン５を自重で降下させることができる。
【００１８】
この防火シャッター装置１０には、開閉中に障害物への接触を検出する障害物感知装置が設けられている。障害物物感知装置は、図示のようにシャッターカーテン５の下端の座板上に設けられた送信機６と、シャッターカーテン５の収納ボックス内に設けられた障害物感知制御回路１３とによって構成される。送信機６は、座板に対する障害物の接触で座板スイッチ（マイクロスイッチ）６１が作動した場合に、その感知信号を障害物感知制御回路１３に有線又は無線方式で送信するものである。このとき、自動閉鎖装置４は、障害物感知制御回路１３からの障害物感知信号の入力に応じてシャッターカーテン５の閉動作を停止してその回避動作を行うようになっている。従って、火災発生時にシャッターカーテン５が自重下降している際に座板が障害物に接触した場合に、シャッターカーテン５の自重下降が停止してその回避動作を行うようになっている。
【００１９】
この防火シャッター装置１０の自重下降の制御は、中継器３０と自動閉鎖装置４によって構成される開閉体制御システムによって行われる。中継器３０は、自動閉鎖装置４への電力供給を制御するものであり、自動閉鎖装置４は、中継器３０からの電力供給に応じて動作し、ブレーキによる開放状態の保持を解除し、シャッターカーテン５を自重で自然降下させるものである。
【００２０】
図４は、図３の防火シャッター装置に採用される中継器の概略構成を示す図である。中継器３０は、外部からの商用交流電源（ＡＣ１００［Ｖ］やＡＣ２００［Ｖ］等）９の供給を受けると共にこの商用交流電源９とは別系統の電力供給源となるバッテリなどの予備電源３３を内蔵している。従って、中継器３０は、非常時に商用交流電源９の供給を受けることができなくても予備電源３３又は連動制御器１２の予備電源によって自動閉鎖装置４を動作させることができる。
【００２１】
図４に示すように、中継器３０は、電源回路３１、充電装置３２、予備電源（蓄電池）３３、電源切り替え装置３４及び制御回路３５ａ，３５ｂから構成される。電源回路３１は、商用電源９を直流２４Ｖ信号に変換し、電源切り替え装置３４を介して制御回路３５ａ，３５ｂに直流電圧を供給すると共に充電装置３２に電力を供給する。充電装置３２は、電源回路３１からの電力を用いて予備電源（蓄電池）３３を充電する。予備電源（蓄電池）３３は、リチウムイオン充電池やその他のバッテリー（充電式以外にも乾電池のように使い切るタイプの電源も含む）などから構成され、電源切り替え装置３４を介して直流電圧を制御回路３５ａ，３５ｂに供給する。電源切り替え装置３４は、電源回路３１又は予備電源３３のいずれか一方の電源を選択的に切り替えて制御回路３５ａ，３５ｂに接続するものである。なお、充電式の電源を、乾電池などのように使い切るタイプの電源に置き換えても良く、この場合は充電を行なわないので、充電装置は無効にするか、不要となる。また、この場合は、非常時や保守点検時など以外に使用しないのであれば、商用電源からの電力供給はなくても良い。
【００２２】
通常は商用電源９からの電力が供給されているので、電源回路３１からの直流電圧を制御回路３５ａ，３５ｂに供給しているが、火災発生時などの非常時に商用電源９からの電力供給が停止した場合などには、予備電源３３からの直流電圧を制御回路３５ａ，３５ｂに供給するように動作する。すなわち、中継器３０に内蔵される予備電源３３は、火災発生時に防火シャッター装置１０に対して何らかの不具合や障害によって商用電源の供給が行われない場合でも、制御回路３５ａ，３５ｂに電力を供給することができるものである。
【００２３】
制御回路３５ａは、感知器１１から入力される防災信号ＢＳに基づき作動信号（直流２４Ｖ信号）を出力し、ブレーキ２を解放するものである。制御回路３５ｂは、電気式手動閉鎖装置８（非常用シャッター閉鎖ボタン）の操作信号の入力に基づき作動信号（直流２４Ｖ信号）を出力し、ブレーキ２を解放するものである。復帰スイッチ３６ａ，３６ｂは、自動閉鎖装置４への電力の供給を強制的に停止させるものである。
【００２４】
上述のように、制御回路３５ａは、商用電源又は予備電源から電力の供給を受けることができるので、感知器１１から制御回路３５ａに入力される防災信号ＢＳに基づき作動信号（直流２４Ｖ信号）を出力し、ブレーキ２を解放することによって、巻取り状態にある防火構造のシャッターカーテン５を自重で下降させ自動的に開口部を閉鎖する。このときに、万一防災信号経路に不具合があったり、制御回路３５ａに不具合が生じた場合であっても、電気式手動閉鎖装置８（非常用シャッター閉鎖ボタン）が操作されることによって、別の回路構成である制御回路３５ｂから作動信号（直流２４Ｖ信号）が出力されるので、シャッターカーテン５を手動操作で緊急に降下させることができる。なお、電気式手動閉鎖装置８を用いるものの他に電気を用いることなく機械的動作のみでブレーキを解放し、シャッターカーテンを下降させるように構成されたものもある。
【００２５】
まず、感知器１１が火災を感知する。すると、防災用連動制御器１２へ感知器１１から火災信号が入力される。防災用連動制御器１２は、中継器３０に防災信号ＢＳを出力する。この防災信号ＢＳは、約１０秒程度の単発信号の場合が多い。中継器３０の制御回路３５ａからは、連続的な作動信号（直流２４Ｖ信号）が自動閉鎖装置４に出力されるので、巻取り状態にある防火構造のシャッターカーテン５が自重で下降し、自動的に開口部を閉鎖する。
【００２６】
一方、電気式手動閉鎖装置８（非常用シャッター閉鎖ボタン）が操作され、無電圧のＡ接点オン信号が中継器３０の制御回路３５ｂに出力されると、中継器３０の制御回路３５ｂから連続的に作動信号（直流２４Ｖ信号）が自動閉鎖装置４に出力され、巻取り状態にある防火構造のシャッターカーテン５が自重で下降し、自動的に開口部を閉鎖するようになる。このとき電気式手動閉鎖装置８（非常用シャッター閉鎖ボタン）が予備電源３３から電力の供給を受けて動作している場合には、予備電源３３の電気容量の残量が少なかったり、なくなっていると、手動閉鎖装置８（非常用シャッター閉鎖ボタン）を操作してもシャッターカーテン５を自重で下降させることができなくなるので、手動閉鎖装置８に隣接した位置に予備電源３３の電気容量の残量を表示し、その残量を容易に確認できるように残量表示手段を設けている。この実施の形態では、ＬＥＤを設け、その表示灯の発光状態を種々制御している。
【００２７】
感知器１１から火災信号が発生した場合又は手動閉鎖装置８（非常用シャッター閉鎖ボタン）が操作された場合によって、シャッターカーテン５が閉鎖動作中、すなわち、シャッターカーテン５が降下中に、障害物物感知装置が障害物を感知すると、座板スイッチ６から自動閉鎖装置４に対して無電圧のＡ接点オン信号が入力するので、自動閉鎖装置４は自動的に復帰してブレーキがかかってシャッターカーテン５の降下を停止する。障害物が取り除かれると、今度は座板スイッチ６から自動閉鎖装置４に対して無電圧のＡ接点オフ信号が入力するので、自動閉鎖装置は再度動作し、ブレーキが解放されてシャッターカーテン５は自重で下降を開始するようになり、シャッターカーテン５によって開口部が全閉されることによって自重降下は停止する。このとき、ブレーキの動作及び解除は予備電源３３からの電力の供給を受けて行われる場合がある。
【００２８】
この実施の形態では、中継器３０に内蔵される予備電源３３によって、火災発生時に防火シャッター装置１０に対する商用電源９の供給がなくとも、防災信号ＢＳや手動閉鎖装置８（非常用シャッター閉鎖ボタン）の操作信号に基づきブレーキ２を解放でき、巻取り状態にある防火構造のシャッターカーテン５を自重で下降させ自動的に開口部を閉鎖することができるようになっている。ところが、この予備電源は、リチウムイオン充電池やその他のバッテリー（充電式以外にも乾電池のように使い切るタイプの電源も含む）などから構成されており、長期間の使用による寿命を有する。従って、この実施の形態では、予備電源３３の電気容量の残量表示手段１４を手動閉鎖装置８（非常用シャッター閉鎖ボタン）の内部又は近傍に設けるようにしてある。これは、点検時などにこの手動閉鎖装置８（非常用シャッター閉鎖ボタン）付近を点検するので、その残量を容易に確認することができるようになるからである。なお、図３及び図４では、中継器３０以外への商用電源の接続関係については図示を省略してある。
【００２９】
図５及び図６は、残量表示手段を備えた手動閉鎖装置の一例を示す図であり、図５は、手動閉鎖手段８の蓋が閉じた状態を示し、図６は手動閉鎖装置８の蓋が開いた状態を示す図である。図に示すように、手動閉鎖装置８は、金属製の筐体５１と蓋５２から構成される。蓋５２には防犯用の鍵５３と、筐体５１の内部に設けられた非常用シャッター閉鎖ボタン６１が外部から見えるようにした樹脂製の透明パネル（押し破りキャップ）５４とを有する。この樹脂製の透明パネル５４は非常時に手などによって押し破られやすいように構成されている。非常用シャッター閉鎖ボタン６１は、赤色の押ボタンである。手動閉鎖装置８の筐体５１の内部には、シャッターカーテン５の開閉停を制御する開ボタン６２、閉ボタン６３、停ボタン６４を備えている。また、非常用シャッター閉鎖ボタン６１が押圧した場合、シャッターカーテン５は自動閉鎖状態となるので、これらの開ボタン６２、閉ボタン６３、停ボタン６４による開閉停制御を行うことができなくなる。そこで、開ボタン６２、閉ボタン６３、停ボタン６４による開閉停制御を有効にするための復旧ボタン６５が非常用シャッター閉鎖ボタン６１の上側に設けられている。
【００３０】
残量表示手段１４は、ＬＥＤから構成されており、このＬＥＤが点滅又は点灯することによって、電気容量が少なくなったことを表示するようにしてある。また、この実施例の場合、図５に示すように、蓋５２が閉じた状態でも、透明パネル５４を通して、この残量表示手段１４が外部から確認できるように構成されている。なお、このＬＥＤ以外にも電池の形状をした複数の表示部を設け、電気容量に応じて表示部の表示状態を変化させ、その状態を透明パネル５４を通して、確認できるようにしてもよい。この場合、残量表示手段１４を動作させるための電源は商用電源９及び／又は予備電源を用いることで、商用電源９及び／又は予備電源から電力が供給されているかどうかの判断を行うことが可能となる。なお、透明パネルは、非常時に押し込むことによって非常用シャッター閉鎖ボタン６１を透明パネルを介して間接的に操作するように構成されている透明パネルの他に、透明パネルを非常用シャッター閉鎖ボタンの操作に邪魔にならない場所へ移動（めくる、取り外す、蓋５２に沿ってスライドさせる、非常用シャッター閉鎖ボタン６１を操作しないように押し込むなど）した後に、非常用シャッター閉鎖ボタン６１を直接操作できるように構成された透明パネルでも良い。
【００３１】
図７は、図３及び図４の防災用開閉体装置の動作の一例を示すフローチャート図である。まず、ステップＳ７１では、感知器１１からの感知器信号を受信したか否か、又は手動閉鎖装置８（非常用シャッター閉鎖ボタン６１）が押圧（オン）されたか否かの判定を行い、受信したり又は押圧（オン）された（ｙｅｓ）場合は次のステップＳ７２に進み、受信していなかったり、押圧されない（ｎｏ）場合は、その信号を受信するまで又は押圧されるまで、ステップＳ７１の判定処理を繰り返す。
【００３２】
ステップＳ７２では、感知器信号を受信したり、又は手動閉鎖装置８（非常用シャッター閉鎖ボタン６１）が押圧（オン）されたので、自動閉鎖装置４がブレーキを解放する。これによってステップＳ５３では、ブレーキの解放によってシャッターカーテン５がその自重によって降下を開始する。
【００３３】
ステップＳ７４では、シャッターカーテン５の下端の座板に何らかの障害物が接触し、それが座板内に内蔵されたマイクロスイッチ６１で感知されたか否かを判定し、感知された（ｙｅｓ）場合はステップＳ７６に進み、感知されない（ｎｏ）場合はステップＳ７５に進む。
【００３４】
ステップＳ７５では、シャッターカーテン５の降下動作を継続させ、ステップＳ７４にリターンする。なお、シャッターカーテン５が降下して床面等に接触し、全閉状態になると、さらなる閉鎖はできないので、この場合には処理を停止する。一方、マイクロスイッチから障害物検出信号が出力され、ステップＳ７４でｙｅｓと判定された場合にはステップＳ７５に進む。
【００３５】
ステップＳ７４でｙｅｓと判定されたということは、シャッターカーテン５の下降動作途中で、座板が何らかの障害物に接触したことを意味するので、ステップＳ７６では、シャッターカーテン５の降下を停止させる。ここでの停止はブレーキングをかけることであり、ステップＳ７２のブレーキ解放が行なわれるまでその停止状態（回避動作）を維持することになる。
【００３６】
ステップＳ７７では、座板内に内蔵されたマイクロスイッチ６１から障害物検出信号が継続的に感知されなくなるまで、このステップＳ７７の判定を繰り返し、感知されなくなった時点で、ステップＳ７２にリターンし、ブレーキを解放し、自重降下を再開させる。この実施の形態では、障害物検出信号が継続的に感知されている限りは、このステップＳ７７を抜けることができないようなフローについて示してある。
【００３７】
なお、上述の実施の形態では、障害物検出信号が感知されなくなった時点で、ステップＳ７２にリターンするようにしているが、降下を優先させる利用態様の場合には、感知状態のままでも、所定時間経過によってステップＳ７２にリターンし、降下を再開させるようにしてもよいし、場合によっては所定距離だけ降下させたり、所定時間だけ降下させるようにしてもよい。なお、障害物検出信号が感知されなくなった後、所定時間経過してからステップＳ７２にリターンし、降下を再開させるようにしても良い。
【００３８】
図８は、本発明に係る防災用開閉体装置である防火シャッター装置の変形例を示す図であり、図９は、図３の防火シャッター装置に採用される中継器の変形例の概略構成を示す図である。図３及び図４に示す防火シャッター装置は、中継器３０内に、防災信号ＢＳの入力に応じて動作する制御回路３５ａと、手動閉鎖装置８（非常用シャッター閉鎖ボタン）の操作信号の入力に応じて動作する制御回路３６ａをそれぞれ独立に備えている。この場合、制御開路３５ｂに関する信号経路に不具合があったり、制御回路３５ｂに不具合が生じた場合には、非常用シャッター閉鎖ボタン（手動閉鎖装置）８を操作しても制御回路３５ｂが作動しないという状態が起こり得る。
【００３９】
そこで、図８及び図９の変形例では、同じ構成の制御回路３５１，３５２を２系列設けて、それぞれの制御回路３５１，３５２に、それぞれ別系統で防災信号ＢＳ及び手動閉鎖装置８（非常用シャッター閉鎖ボタン６１）の操作信号を入力するようにした。これによって、制御開路３５１に関する信号経路に不具合があったり、制御回路３５１に不具合が生じた場合には、別の制御回路３５２が防災信号ＢＳ及び手動閉鎖装置８（非常用シャッター閉鎖ボタン６１）の操作信号の入力に応じて作動させることができる。逆に、制御開路３５２に関する信号経路に不具合があったり、制御回路３５２に不具合が生じた場合には、別の制御回路３５１が防災信号ＢＳ及び手動閉鎖装置８（非常用シャッター閉鎖ボタン６１）の操作信号の入力に応じて作動させることができる。これによって、電気式手動開閉装置を備えた防火シャッター装置の電気回路等に不具合が発生した場合でも防火シャッターを手動にて閉鎖することができる。なお、図８及び図９では、中継器３０以外への商用電源の接続関係については図示を省略してある。
【００４０】
図１０は、本発明に係る防災用開閉体装置である防火シャッター装置のさらに変形例を示す図である。上述の実施の形態では、予備電源が一個の場合を示したが、制御回路３５１，３５２と同様に２つの独立した予備電源３３１，３３２を設け、それぞれが制御回路３５１，３５２に電力を供給するようにしてもよい。この場合、２つの予備電源３３１，３３２は互いに異なる電源方式（乾電池などのように使い切るタイプの電源や充電式のリチウムイオン充電池やその他のバッテリーなどの電源）のものを別々に採用してもよい。また、予備電源３３１，３３２の電力は、シャッター開閉機５０や残量表示手段１４にも供給される。なお、図では、残量表示手段１４は、２個の予備電源の合計残量を表示するようになっているが、２つの予備電源３３１，３３２の残量を個々に表示するようにしてもよい。また、予備電源３３１，３３２を交換する場合、予備電源の寿命の約半分で交互に交換するようにすればよい。すなわち、予備電源３３１，３３２の寿命が２年の場合、最初の１年で予備電源３３１だけを交換し、次の１年で予備電源３３２だけを交換するというように、交互に交換することによって、寿命２年の予備電源を１年毎に交換することと同じ効果を得ることができる。電池容量のチェックは、バッテリーに３秒間負荷電流を流させ、その際のバッテリー電圧値を測定することによって行なう。なお、図１０では、中継器３０以外への商用電源の接続関係については図示を省略してある。
【００４１】
上述の実施の形態では、残量表示手段を非常用シャッター閉鎖ボタン６１とは別個に設ける場合について説明したが、非常用シャッター閉鎖ボタン６１自体をＬＥＤなどで構成し、非常用シャッター閉鎖ボタン６１が点滅又は点灯するようにして、電気容量が少なくなったことを表示するようにしてもよい。上述の実施の形態では、自動閉鎖装置４が制御回路３５ａ，３５ｂ又は制御回路３５１，３５２からそれぞれ別々の電気系統を経て電力供給を受ける場合について説明したが、中継器３０から共通の電気系統を経て供給するようにしてもよい。
【００４２】
また、上述の実施の形態では、開閉部材であるシャッターカーテンが下降しながら繰り出されて閉鎖する防火シャッター装置を例に説明したが、これ以外にも開閉部材が横引き方式で繰り出されたり、上昇方式で繰り出されたり、あるいは水平方式で繰り出されたりするものであっても同様に適用することができる。また、火災には適さないものもあるが、開閉体としては、例えば、シャッター装置、ブラインド装置、ロールスクリーン装置、垂れ幕装置などでも防災の種類に応じて適切な装置を選択すればよい。開閉体装置をシャッター装置とした場合、開閉体手段である開閉部材は、シャッターカーテンであり、その構成は、多数の短冊状のスラット材からなるスラットカーテン、多数のパイプ材をリンク材などで連結させてなるパイプグリルカーテン、一枚状あるいは多数連結されたパネル材からなるパネルカーテン、ネット材からなるネットカーテン、合成樹脂あるいは布繊維製のシート材からなるシートカーテン、あるいはこれらの複合部材などからなる複合カーテンなどによるものである。また、開閉体手段である開閉部材の材質は、使用目的に応じたものであれば、どのようなものでもよい。具体的には、金属製、木製、プラスチック製、布製、これらの複合されたものなどで構成することができる。なお、防火目的で設置される開閉体装置の場合、少なくとも開閉体手段である開閉部材の材質は、耐火性を有しているものが好ましい。
【００４３】
上述の実施の形態では、座板スイッチのように障害物に当接することによって障害物を検出するものを例に説明したが、これ以外にテープスイッチや非当接にて障害物を検出可能なものでもよい。例えば、非当接にて障害物を検出するものとして、開閉部材の両側に赤外光の発光素子と受光素子を設け、赤外光が遮断された場合に障害物を検出するようなものなどがある。また、障害物検出手段は、開口部周辺を含む開口部に存在する障害物を検出するものである。
なお、上述の実施の形態では、電気式手動閉鎖装置である手動閉鎖装置８（非常用シャッター閉鎖ボタン６１）は予備電源３３から出力の供給を受けて動作する場合について説明したが、手動閉鎖装置８（非常用シャッター閉鎖ボタン６１）を動作させるための専用の予備電源を予備電源３３とは別途設け、この場合にもその残量を表示するようにしてもよい。
【００４４】
上述の実施の形態では、防災信号ＢＳは、連動制御器１２から中継器３０に入力するように記載しているが、防災盤から入力するようにしてもよいし、感知器から直接入力するようにしても良い。また、この防災信号ＢＳは、直流２４Ｖ信号などの有電圧信号であっても良いし、無電圧の信号であっも良い。中継器は、自動閉鎖装置以外にも、必要に応じて障害物感知制御回路などに電力を供給するようにしても良い。電源手段の電気容量の残量が少なくなったこと以外を表示する状態表示手段も同様に押し破り可能な透明パネルを介して視認可能な位置に設けることが可能である。残量表示手段は、電源手段の電気容量の残量が少なくなったこと以外の状態表示も同一の表示手段で表示するようにしても良い。また、残量表示手段は、残量表示などに必要な電力を、商用電源、予備電源、その他に設置した電源手段のいずれから電力供給を受けるようにしてもよく、さらに、電力供給を受けていた電源手段から充分に電力供給を受けることが出来なくなった際には、電力供給を受けることが出来なくなった電源手段以外の電源手段から残量表示などに必要な電力の供給を受けられるようにして例えば商用電源の停電時など非常時でも残量表示などをできるようにしてもよい。
【００４５】
上述の実施の形態では、通常時の障害物感知の動作については言及していないが、通常時に図示しない操作部からの操作などによってシャッター開閉機５０の駆動力でシャッターカーテン５が動作している際に座板が障害物に接触した場合に、障害物感知制御回路１３からシャッター開閉機５０に対して信号を出力するすることよって、シャッターカーテン５の動作が停止して、その回避動作が行なわれるようにしても良い。
【図面の簡単な説明】
【００４６】
【図１】防火区画を形成する従来の防火シャッター装置の概略構成を示す図である。
【図２】図１の中継器の概略構成を示す図である。
【図３】本発明に係る開閉体装置である防火シャッター装置の概略構成を示す図である。
【図４】図３の防火シャッター装置に採用される中継器の概略構成を示す図である。
【図５】残量表示手段を備えた手動閉鎖装置の一例を示す図であり、手動閉鎖手段の蓋が閉じた状態を示す図である。
【図６】残量表示手段を備えた手動閉鎖装置の一例を示す図であり、手動閉鎖装置の蓋が開いた状態を示す図である。
【図７】図３及び図４の防災用開閉体装置の動作の一例を示すフローチャート図である。
【図８】本発明に係る防災用開閉体装置である防火シャッター装置の変形例を示す図である。
【図９】図３の防火シャッター装置に採用される中継器の変形例の概略構成を示す図である。
【図１０】本発明に係る防災用開閉体装置である防火シャッター装置のさらに変形例を示す図である。
【符号の説明】
【００４７】
１…開閉機
２…ブレーキ
４…自動閉鎖装置
３…中継器
５…シャッターカーテン
８…非常用シャッター閉鎖ボタン
１０…防火シャッター装置
３１…電源回路
３２…充電装置
３３…予備電源（蓄電池）
３４…電源切り替え装置
３５…制御回路
９…商用電源
６…送信機
７…受信機
５０…シャッター開閉機
３５ａ，３５ｂ…制御回路
１１…感知器
１２…防災用連動制御器
１３…障害物感知制御回路
３６ａ，３６ｂ…復帰スイッチ
３５１，３５２…制御回路
１４…残量表示手段
【図１】
2007138396.tif 000003
【図２】
2007138396.tif 000004
【図３】
2007138396.tif 000005
【図４】
2007138396.tif 000006
【図５】
2007138396.tif 000007
【図６】
2007138396.tif 000008
【図７】
2007138396.tif 000009
【図８】
2007138396.tif 000010
【図９】
2007138396.tif 000011
【図１０】
2007138396.tif 000012